(57)【要約】【課題】短く切断された編組導体において、素線がばらけることを低減する技術を提供する。【解決手段】  複数の素線１１を筒状に編みこむことによって構成された長尺状編組導体１０を所望の切断長（Ｌ１）で切断することによって短い編組導体１が得られる。この編組導体１における素線１１の螺旋ピッチ（Ｐ１）は、好ましくは、切断長（Ｌ１）の２倍以上５倍未満とされ、より好ましくは、切断長（Ｌ１）の２倍以上３倍以下とされる。【選択図】図２
2015018756.tif 000002
【特許請求の範囲】
【請求項１】
筒状に編みこまれた複数の素線で構成された長尺状編組導体を切断することによって得られる編組導体であって、
前記素線の螺旋ピッチが、前記編組導体の長さの２倍以上５倍未満である、編組導体。
【請求項２】
請求項１に記載の編組導体であって、
前記素線の螺旋ピッチが、前記編組導体の長さの３倍以下である、編組導体。
【発明の詳細な説明】
【技術分野】
【０００１】
この発明は、編組導体に関する。
【背景技術】
【０００２】
従来、筒状に編まれた編組導体を備えているワイヤーハーネスとして、特許文献１に開示のものがある。具体的に、特許文献１は、シールドチューブ内に電線が挿通された電気自動車用高電圧用ワイヤーハーネスを開示している。ここで用いられるシールドチューブは、網目筒状である長尺状の編組導体を、必要な長さで切断し、端部に所定の処理を施したものである。
【０００３】
また近年、編組導体が柔軟性等を利用して、編組導体を様々な箇所で使用することが提案されている。例えば、特許文献２は、機器側コネクタにおける端子と当該機器の電子回路との間の短い距離を電気的に接続する編組導体（可撓性導体）を開示している。この可撓性導体が変形することによって、端子を所定のクリアランスで移動可能とし、これによって、相手側端子との間に生じうる寸法公差を吸収するようにしている。
【先行技術文献】
【特許文献】
【０００４】
【特許文献１】特開２０１０−１７２１６２号公報
【特許文献２】特開２０１１−１６５４２８号公報
【発明の概要】
【発明が解決しようとする課題】
【０００５】
特許文献２にも示されているように、近年は、比較的短い編組導体を使用する機会が増えている。しかしながら、切断長が小さい編組導体の場合、切断長が大きい編組導体に比べて、編組導体を構成する素線がばらけやすいという問題があった。このため、切断された編組導体のばらけを防ぐ技術が求められている。
【０００６】
本発明は、上記課題に鑑みなされたものであり、短く切断された編組導体において、素線がばらけることを低減する技術を提供することを目的とする。
【課題を解決するための手段】
【０００７】
上記の課題を解決するため、第１の態様は、筒状に編みこまれた複数の素線で構成された長尺状編組導体を切断することによって得られる編組導体であって、前記素線の螺旋ピッチが、前記編組導体の長さの２倍以上５倍未満である。
【０００８】
また、第２の態様は、第１の態様に係る編組導体であって、前記素線の螺旋ピッチが、前記編組導体の長さの３倍以下である。
【発明の効果】
【０００９】
第１及び第２の態様によると、螺旋ピッチを細かくすることで、長尺状の編組導体を切断した際に、切断後の短い編組導体がばらけることを低減することができる。
【図面の簡単な説明】
【００１０】
【図１】本発明に係る編組導体を示す側面図である。
【図２】編組導体を構成する素線の螺旋構造を概念的に示す側面図である。
【図３】螺旋ピッチが異なる２つの編組導体を示す側面図である。
【発明を実施するための形態】
【００１１】
以下、添付の図面を参照しながら、本発明の実施形態について説明する。なお、図面においては、理解容易のため、必要に応じて誇張または簡略化して図示されている場合がある。
【００１２】
図１は、長尺状編組導体１０を示す側面図である。長尺状編組導体１０は、編組機によって複数の素線１１を中空筒状に編組されたものである。より具体的には、長尺状編組導体１０は、複数の素線１１を１つの組（ピック）とし、複数組のピックを平織状、即ち、縦糸と横糸とを交差させて交互に浮き沈みさせるように編むことで構成されている。長尺状編組導体１０を構成する素線１１は、例えば、裸軟銅線、無酸素軟銅線、または、錫メッキ軟銅線等の導体で構成されている。
【００１３】
長尺状編組導体１０を所望の切断位置１３にて切断することによって、短い編組導体１が得られる。この編組導体１の中空内部には、１本または複数本の電線９が挿通される。ただし、編組導体１の中空内部には、電線９以外の線状体が挿通されていてもよい。また、編組導体１の中空内部に電線９を挿通することによって、電線９に編組導体１を後付けするようにしてもよいが、予め、編組機において、電線９の周りを覆うように素線１１を編みこむことによって、最初から長尺状編組導体１０の中空内部に電線９が挿通されているようにしてもよい。また、図示を省略するが、編組導体１の端部１Ｔに、例えば電子機器の筐体などに取り付けるための取付用部材等が取り付けられてもよい。また、必ずしも編組導体１の中空内部に電線９等を挿通する必要はなく、編組導体１を導電線として使用することも考えられる。
【００１４】
図２は、長尺状編組導体１０を構成する素線１１の螺旋構造を概念的に示す側面図である。図２においては、説明の便宜上、同じ螺旋方向に延びるいくつかの素線１１のみを図示しており、各素線１１のうち、手前側を通る部分が実線で示されており、裏側を通る部分が破線で示されている。
【００１５】
図２に示される様に、長尺状編組導体１０においては、各素線１１が、所要の長さの螺旋ピッチ（Ｐ１，すなわち、各素線１１が１回転する間に進む軸方向に沿った距離）で螺旋状に配されている。
【００１６】
長尺状編組導体１０においては、各素線１１は、互いに編みこまれることによって、他の組の素線１１をばらけないように支持している。しかしながら、長尺状編組導体１０を図２に示される切断線１３の位置で切断した際、各素線１１に対して引き抜く方向等に力が作用することによって、素線１１がばらけてしまうことがある。特に、切断長（Ｌ１）が螺旋ピッチ（Ｐ１）よりも短い場合、素線１１がばらけやすい。
【００１７】
そこで、長尺状編組導体１０を切断した際に、素線１１がほぐれるかどうかを、螺旋ピッチを変えて検証した。以下の試験では、一例として、打ち数（ピックの数）が４４、持ち数（1つのピックにおける素線１１の数）が３０、素線径が０．１２ｍｍである長尺状編組導体１０を用いている。
【００１８】
図３は、螺旋ピッチが異なる２つの編組導体１Ａ，１Ｂを示す図である。編組導体１Ａは、螺旋ピッチが２２５ｍｍである長尺状編組導体１０を、切断長４５ｍｍで切断したものである（試験１）。また、編組導体１Ｂは、螺旋ピッチが１２５ｍｍである長尺状編組導体１０を、切断長４５ｍｍで切断したものである（試験２）。
【００１９】
試験１に係る編組導体１Ａの場合、すなわち、螺旋ピッチが切断長の５倍である場合、切断によって素線１１のほぐれが発生し、形状維持が困難となっている（図３左）。一方、試験２に係る編組導体１Ｂの場合、すなわち、螺旋ピッチが切断長の３倍弱（詳細には、２．６７倍）である場合、切断による素線１１のほぐれが発生せず、編組導体１Ｂとしての形状が維持されている（図３右）。
【００２０】
すなわち、試験１，２の結果から、切断時に素線１１がほぐれないようにするためには、螺旋ピッチが、切断長の５倍未満であることが望ましく、３倍以下であることがより好ましいことが明らかである。このように、同一の切断長であれば、螺旋ピッチがより短い方が、編み目がより細かくなり、これによって、各素線１１が他の素線１１によりしっかりと支持される。つまり、螺旋ピッチを小さくすることで、素線１１がばらけることを抑制できる。
【００２１】
ただし、螺旋ピッチが小さすぎる場合（例えば、螺旋ピッチが切断長の２倍未満）、素線１１同士が擦れてしまう機会が増えることで、素線１１が傷ついてしまうおそれがある。このため、螺旋ピッチは、切断長の２倍以上であることが望ましい。
【００２２】
以上を総括すると、切断による素線１１のばらけを防止するためには、編組導体１において、好ましくは、螺旋ピッチが切断長の２倍以上かつ５倍未満とされ、より好ましくは、２倍以上かつ３倍以下とされる。
【００２３】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００２４】
１，１Ａ，１Ｂ  編組導体
１０  長尺状編組導体
１１  素線
１３  切断位置
９  電線
【図１】
2015018756.tif 000003
【図２】
2015018756.tif 000004
【図３】
2015018756.tif 000005